(57)【要約】      （修正有）【課題】  防水性及び防塵性が高く、且つ、簡単な形状で、部品点数を少なくしたコネクタ及び雌雄嵌合コネクタを提供する。【解決手段】コネクタ２を、ケーブル６と、芯線６ａの各々の先端部に圧着される圧着部３２及び接触部３１を有し、圧着部３２の径が被覆６ｂで覆われた芯線６ａの径より小さくなるように構成された複数のコンタクト３０と、このコンタクト３０の接触部３１を前後に延びるように整列して保持するコネクタハウジング４０と、前方が開口して内部にコネクタハウジング保持空間２２が形成され、後端部に貫通してコネクタハウジング保持空間２２と外部とを連通して複数のコンタクト３０に接続された複数のケーブル保持孔２７が形成され、コンタクト３０が取り付けられたコネクタハウジング４０をコネクタハウジング保持空間２２に挿入して保持するとともに、複数のケーブル保持孔２７の各々で保持するリアカバー２０とから構成する。【選択図】  図２
2006019065.tif 000002
【特許請求の範囲】
【請求項１】
被覆で覆われた芯線を複数有してなるケーブルと、
前記被覆が剥がされた前記芯線の各々の先端部に圧着される圧着部及び前記圧着部の前端に延びて形成された接触部を有し、前記芯線に圧着された前記圧着部の径が前記被覆で覆われた前記芯線の径より小さくなるように構成された複数のコンタクトと、
前記複数のコンタクトの前記接触部を前後に延びるように整列して保持するコネクタハウジングと、
前方が開口して内部にコネクタハウジング保持空間が形成され、後端部に前後に貫通して前記コネクタハウジング保持空間と外部とを連通して前記複数のコンタクトに接続された前記芯線の各々を外部に出す複数のケーブル保持孔が形成され、前記複数のコンタクトが取り付けられた前記コネクタハウジングを前記コネクタハウジング保持空間に挿入して保持するともに、前記被覆で覆われた前記芯線の各々を前記被覆とともに前記複数のケーブル保持孔の各々で保持するリアカバーとから構成されることを特徴とするコネクタ。
【請求項２】
前記リアカバーに、後部から前方に突出する複数のコンタクト規制部が形成され、
前記複数のコンタクトの前記接触部の後端部が、前記リアカバーの複数のコンタクト規制部の各々と当接して前記複数のコンタクトの後方への移動を規制するように構成されたことを特徴とする請求項１に記載のコネクタ。
【請求項３】
前記複数のケーブル保持孔の各々が、前記被覆で覆われた前記芯線の外周と略同一大きさに形成されて、前記被覆に密接するように構成されたことを特徴とする請求項１または２に記載のコネクタ。
【請求項４】
前記複数のコンタクトの各々を構成する前記接触部の上端部に上方に突出する突起部が形成され、
前記コネクタハウジングに、
内部に前後に延びて前記複数のコンタクトの各々を保持する複数のコンタクト保持孔と、
上下に貫通して外部と前記複数のコンタクト保持孔の各々とを連通する複数の連通孔とが形成され、
前記コネクタハウジングに前記複数のコンタクトの前記接触部の各々が取り付けられたときに、前記複数の連通孔の各々と前記突起部とが嵌合して前記接触部が前記コネクタハウジングから抜け出ないように保持されたことを特徴とする請求項１〜３のいずれかに記載のコネクタ。
【請求項５】
後方が開口して内部にコネクタ保持空間が形成された相手側ハウジング、前記コネクタ保持空間内に突出するように延びて取り付けられたピン状の複数の相手側コンタクト、及び、前記相手側ハウジングの外周部に外方に突出するように形成された爪部を有する相手側コネクタと、
前記リアカバーに貫通して外部と前記コネクタハウジング保持空間とを連通する嵌合孔が形成された請求項１〜４のいずれかに記載のコネクタとから構成され、
前記リアカバーの前方から前記コネクタハウジング保持空間に前記相手側ハウジングの後部を挿入するとともに、前記コネクタハウジングの前部を前記コネクタ保持空間に挿入して前記コンタクトと前記相手側コンタクトとを当接させ、さらに、前記嵌合孔に前記爪部を嵌合させて前記コネクタと前記相手側コンタクトとを接続するように構成されたことを特徴とする雌雄嵌合型コネクタ。
【発明の詳細な説明】
【技術分野】
【０００１】
本発明は、防水性や防塵性に優れたコネクタ及び雌雄嵌合型コネクタに関する。
【背景技術】
【０００２】
自動車に搭載される機器に用いられるコネクタは、その使用環境から防水性や防塵性が要求されるため、コネクタを構成する部材間にシール部材を配したコネクタが提案されている（例えば、特許文献１参照）。図７はコネクタ１１０と相手側コネクタ１２０からなる従来の雌雄嵌合型コネクタ１００を示している。この図から判る通り、この雌雄嵌合型コネクタ１００は、複数の部材１１１，１１２，１１３，１２０を組み合わせて構成されており、これらの部材の接合部分、及び、ケーブル１３０の引き出し部分に、防水性や防塵性を確保するための複数のシール部材１１４，１２２，１３２が取り付けられている。また、ケーブル１３０の芯線に取り付けられるコンタクト１３１は、芯線にだけかしめ締結されるのではなく、この芯線の断裂を防止するために、その端部１３１ａが芯線を覆う被覆を包み込むようにかしめ締結されている。
【０００３】
【特許文献１】特開２００３−４５５４９号公報
【発明の開示】
【発明が解決しようとする課題】
【０００４】
しかしながら、上述のように従来のコネクタは構成部材の点数が多く、また、それらの部材の形状も複雑となり、さらに、シール部材も多数必要となる。そのため、このようなコネクタは製造コストや組立てコストが高くなるという課題があった。
【０００５】
本発明はこのような課題に鑑みてなされたものであり、防水性及び防塵性が高く、且つ、簡単な形状で、部品点数を少なくしたコネクタ及び雌雄嵌合コネクタを提供することを目的とする。
【課題を解決するための手段】
【０００６】
前記課題を解決するために、本発明に係るコネクタは、被覆で覆われた芯線を複数有してなるケーブルと、被覆が剥がされた芯線の各々の先端部に圧着される圧着部及びこの圧着部の前端に延びて形成された接触部を有し、芯線に圧着された圧着部の径が被覆で覆われた芯線の径より小さくなるように構成された複数のコンタクトと、この複数のコンタクトの接触部を前後に延びるように整列して保持するコネクタハウジングと、前方が開口して内部にコネクタハウジング保持空間が形成され、後端部に前後に貫通してコネクタハウジング保持空間と外部とを連通して複数のコンタクトに接続された芯線の各々を外部に出す複数のケーブル保持孔が形成され、複数のコンタクトが取り付けられたコネクタハウジングをコネクタハウジング保持空間に挿入して保持するとともに、被覆で覆われた芯線の各々を被覆とともに複数のケーブル保持孔の各々で保持するリアカバーとから構成される。
【０００７】
なお、このコネクタは、リアカバーに後部から前方に突出する複数のコンタクト規制部が形成され、複数のコンタクトの接触部の後端部が、リアカバーの複数のコンタクト規制部の各々と当接して複数のコンタクトの後方への移動を規制するように保持するように構成されることが好ましい。
【０００８】
また、このコネクタは、ケーブル保持孔の各々が、被覆で覆われた芯線の外周と略同一大きさに形成されて、この被覆と密接するように構成されることが好ましい。
【０００９】
さらに、このコネクタは、複数のコンタクトの各々を構成する接触部の上端部に上方に突出する突起部が形成され、コネクタハウジングに、内部に前後に延びて複数のコンタクトの各々を保持する複数のコンタクト保持孔と、上下に貫通して外部と複数のコンタクト保持孔の各々とを連通する複数の連通孔とが形成され、コネクタハウジングに複数のコンタクトの接触部の各々が取り付けられたときに、複数の連通孔の各々と突起部とが嵌合して接触部がコネクタハウジングから抜け出ないように保持されることが好ましい。
【００１０】
また、本発明に係る雌雄嵌合型コネクタは、後方が開口して内部コネクタ保持空間が形成された相手側ハウジング、コネクタ保持空間内に後方に突出するように延びて取り付けられたピン状の複数の相手側コンタクト、及び、相手側ハウジングの外周部に外方に突出するように形成された爪部を有する相手側コネクタと、リアカバーに貫通して外部とコネクタハウジング保持空間とを連通する嵌合孔が形成された上記に記載のコネクタとから構成され、リアカバーの前方からコネクタハウジング保持空間に相手側ハウジングの後部を挿入するとともに、コネクタハウジングの前部をコネクタ保持空間に挿入してコンタクトと相手側コンタクトとを当接させ、さらに、嵌合孔に爪部を嵌合させてコネクタと相手側コンタクトとを接続するように構成される。
【発明の効果】
【００１１】
本発明に係るコネクタを以上のように構成すると、コンタクトをコネクタハウジング及びリアカバーで保持することができ、簡単な構造で、且つ、少ない部材で構成することができる。また、コンタクトの圧着部が被覆を含む芯線の径よりも小さく構成されているため、この圧着部の上方において接触部の後端部とリアカバーから延びるコンタクト規制部とを当接させるように構成することにより、コンタクトの後方への移動を規制して保持することができる。また、以上のように構成することにより、リアカバーに形成されたケーブル保持孔の径を、被覆を含む芯線の径と略同一大きさにして、このケーブル保持孔と芯線との間から水や埃が内部に侵入することがなく、高い防水性及び防塵性を確保することができる。また、コンタクトを、被覆を含んだ芯線に対して圧着しなくても、ケーブル保持孔で被覆で覆われた芯線を保持することができるため、この芯線の断裂を防止することができる。さらに、コンタクトの接触部の上方に突起部を形成し、この突起部をコネクタハウジングに形成された連通孔と嵌合させることにより、このコンタクトをコネクタハウジングで確実に保持することができる。
【００１２】
また、本発明に係る雌雄嵌合型コネクタを以上のように構成すると、コネクタハウジングと相手側ハウジングとが重なり合うように密接して接続されるため、シール部材を設けなくても防水性及び防塵性を確保することができる。
【発明を実施するための最良の形態】
【００１３】
以下、本発明の好ましい実施形態について図面を参照して説明する。図１に示すように、本発明に係る雌雄嵌合型コネクタ１は、ケーブル６を本体に接続するためのコネクタ２と、本体側に取り付けられた相手側コネクタ５とから構成される。以下、コネクタ２及び相手側コネクタ５について詳細に説明する。
【００１４】
コネクタ２は、図２〜図４に示すとおり、絶縁性材料で形成されたリアカバー２０と、ケーブル６の芯線６ａに取り付けられる導電性材料で形成された複数のコンタクト３０と、このコンタクト３０を保持する絶縁性材料で形成されたコネクタハウジング４０とから構成される。まず、コンタクト３０は、前部にピン嵌合孔３３が形成された接触部３１と、この接触部３１から後方に延びて芯線６ａと接続される圧着部３２とから構成される。この圧着部３２は被覆６ｂが剥がされたケーブル６の芯線６ａの各々の先端部に対して圧着（かしめ締結）されている。また、接触部３１の上部には上方に突出する突起部３４が形成されている。
【００１５】
リアカバー２０は、前方が開口して内部にコネクタハウジング保持空間２２が形成された外筒部２１と、このコネクタハウジング保持空間２２内に突出するように形成された内筒部２３とを有して二重筒状に構成されている。また、このリアカバー２０の後部には後方に突出するようにケーブル保持部２６が形成されており、このケーブル保持部２６には、前後に貫通してコネクタハウジング保持空間２２と外部とを連通するケーブル保持孔２７が左右に並んで複数（本実施例においては３個）形成されている。また、内筒部２３内にはケーブル保持孔２７の貫通方向と略平行に前方に突出して延びる複数のコンタクト規制部２４が形成されている。なお、ケーブル保持孔２７の内径は、ケーブル６の被覆６ｂ（この被覆６ｂに包まれた芯線６ａを含む）の外径と略同一大きさに形成されている。また、外筒部２１の底部には上下に貫通してコネクタハウジング嵌合孔２５が形成されている。さらに、外筒部２１の前方上部には上下に貫通するコネクタ嵌合孔２８が形成されている。
【００１６】
コネクタハウジング４０は、断面矩形状に形成されたハウジング本体４１を有しており、このハウジング本体４１には、内部に前後に貫通して左右に並び、上述のコンタクト３０の数（本実施例では３個）に対応したコンタクト保持孔４５が形成されている。また、ハウジング本体４１の上部には上下に貫通して外部とコンタクト保持孔４５とを連通する連通孔４３がこのコンタクト保持孔４５の数だけ形成されている。なお、この連通孔４３には後方からこの連通孔４３内に前縁部から延びる係止部４４が形成されている。この係止部４４の前後長は、連通孔４３の前後長より短く形成されているため、この係止部４４の前方に上下に貫通する嵌合部４３ａが形成される。また、コネクタハウジング４０の左右両側部には、外方に突出して前後に延びるガイド突起４６が形成されている。また、ハウジング本体４１の下部後方には下方に突出する嵌合突起４９が形成されている。
【００１７】
以上のように構成されたリアカバー２０、コンタクト３０及びコネクタハウジング４０を組み合わせてコネクタ２が構成される。まず、ケーブル６の芯線６ａの先端部にかしめ締結されているコンタクト３０の接触部３１はコネクタハウジング４０の後方から、それぞれコンタクト保持孔４５に挿入される。このとき、接触部３１の上部に形成された突起部３４は係止部４４を上方に押し上げながら挿入され、この接触部３１の先端がコネクタハウジング４０の先端近傍まで挿入されたときに、嵌合部４３ａ内に突出し、係止部４４は弾性で元の状態に戻り、この突起部３４、すなわちコンタクト３０をコネクタハウジング４０に固定して整列保持する。なお、コンタクト保持孔４５の前方開口部と接触部３１の前部に形成されたピン嵌合孔３３とは位置整合するように構成されている。
【００１８】
ケーブル６の被覆６ａで覆われた芯線は、それぞれリアカバー２０の前方からケーブル保持孔２７に通される。そして、コンタクト３０が固定保持されたコネクタハウジング４０が、リアカバー２０のコネクタハウジング保持空間２２に挿入され、内筒部２３と嵌合される。すなわち、図３に示すように、リアカバー２０のコンタクト規制部２４がコネクタハウジング４０のコンタクト保持孔４５に挿入され、接触部３１がこのコンタクト保持孔４５から抜け出ないように後方から当接保持する。また、コネクタハウジング４１の後方下部に形成された嵌合突起部４９がリアカバー２０のコネクタハウジング嵌合孔２５と嵌合することにより、リアカバー２０とコネクタハウジング４０とがコンタクト３０を保持するように組み合わされて固定される。
【００１９】
以上説明したように、ケーブル６の芯線６ａに対してのみコンタクト３０をかしめ締結しているため、この部分（圧接部３２）は被覆６ｂに覆われている部分の径より小さくすることができる。そのため、ケーブル保持孔２７の内径はケーブル６（被覆６ｂ）の外径と略同一大きさに形成してこのケーブル４と密接させることができる。そのため、このように単純な形状にすることにより、ケーブル保持孔２７とケーブル６（被覆６ｂ）との間にシール部材を配設しなくとも防水性及び防塵性を高くすることができる。また、ケーブル６の先端部（被覆６ｂが剥がされた芯線６ａの近傍）をこのケーブル保持孔２７で密接して保持することにより、コンタクト３０を芯線６ａにかしめ締結するときに、同時に被覆６ｂを含む先端部をこのコンタクト３０でかしめ締結しなくても、芯線６ｂが断裂するのを防止することができる。
【００２０】
さらに、芯線６ａにかしめ締結された圧接部３２の径が被覆６ｂの径よりも小さくすることができるため、リアカバー２０のコンタクト規制部２４をコンタクト保持孔４５に挿入させるように構成することができ、このコンタクト規制部２４により接触部３１を保持することができるため、コンタクト３０を保持するための特別な部材を必要としない。従って、コネクタハウジング４０とリアカバー２０の２つの部材でコンタクト３０を保持することができるため、部品点数を減らし、また、組立て工数を減らしてこのコネクタ２の製造コストを低くすることができる。
【００２１】
一方、相手側コネクタ５は、図５及び図６に示すように、絶縁性材料からなり、前方に突出して内部にコネクタ保持空間５２が形成された筒状の相手側ハウジング５１と、この相手側ハウジング５１の後部からコネクタ保持空間５２内に左右に並んで突出する導電性材料で形成された複数のピン状の相手側コンタクト５４とから構成される（本実施例においては、コネクタ２に合わせて相手側コンタクト５４は３本とする）。このコネクタ保持空間５２を形成する相手側ハウジング５１の開口部の左右両側部には、前後に延びてコネクタ保持空間５２と連通するガイド溝５３，５３が形成されている。すなわち、コネクタハウジング４０の断面形状と、相手側ハウジング５１のコネクタ保持空間５２を形成する断面形状とは略同一形状に構成されている。また、コネクタ２の外筒部２１のコネクタハウジング保持空間２２を形成する断面形状と、相手側コネクタ５１の相手側コネクタ５１の断面形状とは略同一形状に構成されている。なお、この相手側ハウジング５１の前方上部には上方に突出する爪部５５が形成されている。
【００２２】
このように構成された相手側コネクタ５にコネクタ２を接続するときは、コネクタ２の外筒部２１で囲まれたコネクタハウジング保持空間２２に相手側コネクタ５の相手側ハウジング５１を挿入するとともに、相手側コネクタ５のコネクタ保持空間５２にコネクタ２のコネクタハウジング４０を挿入する。すると、このコネクタハウジング４０の左右両側部に形成されたガイド突起４６，４６が相手側コネクタ５のガイド溝５３，５３にガイドされてコネクタ保持空間５２に誘い込まれ、相手側コンタクト５４がそれぞれコンタクト保持孔４５の前部開口を通ってコンタクト３０の接触部３１に形成されたピン嵌合孔３３に挿入されて嵌合する。そして、リアカバー２０のコネクタ嵌合孔２８と相手側ハウジング５１の爪部５５とが嵌合することにより、相手側コネクタ５に対してコネクタ２が接続されて固定される。なお、図３等から明らかな通り、コネクタ２を構成する各部材２０，３０，４０間やこれらの各部材と相手側ハウジング５１とはそれぞれ密接して接続されるように構成されている。また、コネクタ嵌合孔２８の内周面に爪部５５の外周面が密接するように嵌合される。
【００２３】
本実施例に係る雌雄嵌合型コネクタ１を以上のように構成すると、リアカバー２０（外筒部２１）と相手側ハウジング５１とコネクタハウジング３０とが平面視において交互に重なるように密接して接続されるため、コンタクト２と相手側コンタクト５の接続部等に水や埃が侵入しにくく防水性、防塵性を高くすることができる。
【図面の簡単な説明】
【００２４】
【図１】本発明に係る雌雄嵌合型コネクタを示す射視図である。
【図２】本発明に係るコネクタの構成部品を分解した状態を示す斜視図である。
【図３】コネクタと相手側コネクタとが接続された状態の断面図の射視図である。
【図４】図３の断面図であり、（Ａ）はＩＶA−ＩＶA断面図であり、（Ｂ）はＩＶB−ＩＶB断面図である。
【図５】相手側コンタクトの正面図である。
【図６】図５の断面図であり、（Ａ）はＶＩA−ＶＩA断面図であり、（Ｂ）はＶＩB−ＶＩB断面図である。
【図７】従来の雌雄嵌合型コネクタを示す図であり、（Ａ）は接続されたコネクタ側から見たずであり、（Ｂ）は（Ａ）のＶＩＩB−ＶＩＩB断面図である。
【符号の説明】
【００２５】
１  雌雄嵌合型コネクタ
２  コネクタ
５  相手側コネクタ
６  ケーブル
６ａ  芯線
６ｂ  被覆
２０  リアカバー
２２  コネクタハウジング保持空間
２４  コンタクト規制部
２７  ケーブル保持孔
２８  嵌合孔
３０  コンタクト
３１  接触部
３２  圧着部
３４  突起部
４０  コネクタハウジング
４３  連通孔
４５  コンタクト保持孔
５１  相手側ハウジング
５４  相手側コンタクト
５５  爪部
【図１】
2006019065.tif 000003
【図２】
2006019065.tif 000004
【図３】
2006019065.tif 000005
【図４】
2006019065.tif 000006
【図５】
2006019065.tif 000007
【図６】
2006019065.tif 000008
【図７】
2006019065.tif 000009